(57)【要約】【課題】新規な転写メイクアップ方法および関連するデバイスを提供する。【解決手段】本発明は、少なくとも1つの化粧用インクを収容するプリンタ(500)であって、基材によって画定され、人体のケラチン物質上に接触によって化粧用インクの塗膜を転写することが意図された平坦でない転写面上に、インクの塗膜を形成することを可能にするように設計されたプリンタに関する。【選択図】図２Ｂ
2020157113.tif 000002
【特許請求の範囲】
【請求項１】
少なくとも1つの化粧用インクを収容するプリンタ(500)であって、基材(2)によって画定され、人体のケラチン物質上に接触によって化粧用インク(4)の塗膜を転写することが意図された平坦でない転写面(3)上に、前記インクの塗膜を形成することを可能にするように設計されたプリンタ。
【請求項２】
前記転写面(3)が少なくとも1つの円筒または球状部分を画定する、請求項1に記載のプリンタ。
【請求項３】
ローラ(200)および/またはパッドホルダを回転させるための手段を備え、前記転写面(3)が前記ローラの、または前記パッドホルダがもつパッドそれぞれの外表面に少なくとも部分的に対応する、請求項1または2に記載のプリンタ。
【請求項４】
ローラ(200)またはパッドホルダ(350)を除去可能に収容するレセプタクルを備え、前記転写面(3)が前記ローラの、または前記パッドホルダがもつパッドそれぞれの外表面に少なくとも部分的に対応する、請求項1から3のいずれか一項に記載のプリンタ。
【請求項５】
前記転写面(3)にアクセスして、前記基材(2)が前記プリンタ内に存在する状態で前記インクの転写を可能にする窓を備える、請求項1から4のいずれか一項に記載のプリンタ。
【請求項６】
印刷幅が、0.2から40cm、好ましくは10から200mmである、請求項1から5のいずれか一項に記載のプリンタ。
【請求項７】
化粧用インクのいくつかのカートリッジ(21)、特に異なる色のいくつかのカートリッジを備える、請求項1から6のいずれか一項に記載のプリンタ。
【請求項８】
請求項1から7のいずれか一項に記載のプリンタで使用するように意図されたローラ(200)であって、インクを、特に前記ケラチン物質との接触によって転写される特に化粧用インクを、受け入れるように意図された、前記転写面(3)を画定する変形可能な基材(2)をもち、前記転写面(3)が前記ローラの外表面を少なくとも部分的に形成する、ローラ。
【請求項９】
前記基材(2)が、摩擦もしくは結合によって、または締結手段、特に少なくとも1つのクリップもしくは締結顎部によって、前記ローラ(200)に締結される、請求項8に記載のローラ。
【請求項１０】
中空であり、加熱素子を収容するように特に設計された、請求項8または9に記載のローラ。
【請求項１１】
前記基材(2)をもつ少なくとも1つのパッド(300)、特に1つから5つのパッド、たとえば3つのパッドをもつように設計された、請求項1から7のいずれか一項に記載のプリンタで使用することが意図されたパッドホルダ(350)。
【請求項１２】
保持システム(250)、特に、印刷時に前記プリンタ(500)に除去可能に収容されるようなハンドル(80)を備える、請求項8から10のいずれか一項に記載のローラまたは請求項11に記載のパッドホルダ。
【請求項１３】
請求項8から10または請求項12のいずれか一項に記載のいくつかのローラ(200)を備えるアセンブリ(30)であって、前記ローラが、前記基材(2)の厚さ(e)によって異なり、前記基材(2)が前記ローラ上の適所にあるときに測定して、特に0.5から20cm、またはさらには1から10cmである同じ直径(D)を有する、アセンブリ。
【請求項１４】
化粧用インクまたはトナーを収容したケースを備え、前記ケースが、請求項1から7のいずれか一項に定義されるようなプリンタの内部に受け入れられるように設計されたことを特徴とする、化粧用インクのカートリッジ(21)。
【請求項１５】
人体のケラチン物質(P)にメイクアップを施す転写デバイス(1)を製造する方法であって、前記人体のケラチン物質との接触によってインクを転写するように意図された平坦でない転写面(3)上に、請求項1から7のいずれか一項に記載の少なくとも1つのプリンタを使用して、化粧用インク(4)の塗膜を印刷するステップを含む、方法。
【請求項１６】
ユーザによってパターンを選択および/または作成し、プリンタに接続された機械を用いて、前記パターンに関連する情報を送信するステップを含む、請求項15に記載のメイクアップデバイスを製造する方法。
【請求項１７】
人体のケラチン物質と接触することが意図され、化粧用インク(4)を受け入れるように構成された平坦でない転写面(3)を有する基材(2)を備えるメイクアップデバイス(1)を使用して、前記ケラチン物質のある範囲(P)にメイクアップを施す方法であって、
請求項1から7のいずれか一項に記載の少なくとも1つのプリンタを使用して、化粧用インク(4)の塗膜を前記転写面(3)上に印刷するステップと、
前記インク(4)の塗膜を、メイクアップを施される前記範囲(P)と接触させるステップと
を含む、方法。
【請求項１８】
前記インクの塗膜を前記範囲(P)に転写する間、前記基材(2)が前記プリンタに締結される、請求項17に記載の方法。
【発明の詳細な説明】
【技術分野】
【０００１】
本発明は、転写によるメイクアップ塗布に関する。
【背景技術】
【０００２】
基材上に印刷されたインクの堆積物を転写することによってケラチン物質にメイクアップを施すのは困難である。この理由は、既知のインクが、一旦印刷されると急速に乾燥し、転写が行われないことである。
【０００３】
さらに、印刷の直後またはその30分以内に転写が行われる場合に、また印刷の数日後もしくはさらには数か月後に転写が行われる場合にも、メイクアップデバイスが十分な転写メイクアップを提供することが望ましい。
【０００４】
最後に、たとえば、輪郭を和らげ、メイクアップを施されていない範囲との境界を滑らかにすることができるように、転写されたパターンを転写後数分以内にユーザが修整できるのが有利なこともある。
【０００５】
結果として、ユーザが、印刷の直後またはデバイスの長いもしくは短い保管期間後のどちらにパターンの転写を求めるかにかかわらず、溶媒を添加することなく、単純な接触によって転写メイクアップを得ることを可能にする、メイクアップデバイスが必要とされている。
【０００６】
また、ユーザが、転写の数分以内に、必要であればケラチン物質上に転写されたパターンを修整することを可能にする、転写メイクアップデバイスを得ることが有利であろう。
【０００７】
さらに、人体の表面は、背中などの実質的に平坦な範囲と、ほぼ円筒状の形状を有する表面(腕および脚)と、さらには窪みおよびドーム状部分、特に目、唇、鼻、腋窩、足などの範囲とを有する。
【０００８】
ここで、既知のシステムを使用する転写は、一般に、身体の湾曲部分に適合するのが困難である、平坦な転写面を、たとえば印刷可能なプラスチックシートを介して行われる。結果として、身体の様々な部分、特に凹凸をもつ部分に適合された、転写メイクアップデバイスが必要とされている。これらの部分の場合、パターンが、皮膚の凹凸に従って忠実に適用されることが重要である。
【先行技術文献】
【非特許文献】
【０００９】
【非特許文献１】R.B.Simpson、2002年、Rubber Basics、96ページ、ISBN 1-85957-307-X
【発明の概要】
【発明が解決しようとする課題】
【００１０】
本発明は、これらの必要性のすべてまたはいくつかを満たすことを対象とする。
【課題を解決するための手段】
【００１１】
第1の態様によれば、本発明は、少なくとも1つの化粧用インクを収容するプリンタであって、基材によって画定され、人体のケラチン物質上に接触によって化粧用インクの塗膜を転写することが意図された平坦でない転写面上に、インクの塗膜を形成することを可能にするように設計されたプリンタに関する。
【００１２】
「人体のケラチン物質」という用語は、頭皮、唇、爪、毛髪、睫毛、および眉毛を含む皮膚、好ましくは皮膚を指す。
【００１３】
「デジタルプリンタ」という用語は、印刷形式を備える機械とは異なり、デジタルデータを使用してピクセル形式で印刷する機械を意味する。
【００１４】
デジタルプリンタを使用した印刷によって得られる化粧用インクの少なくとも1つの塗膜を使用することによって、有利には、複雑でカスタマイズ可能なメイクアップに関して優れた精度を得ることが可能になる。
【００１５】
本発明によって、有利には、化粧用インクの塗膜を、特にローラまたはパッドの外表面に相当する、平坦でない転写面上に直接印刷することが可能になり、それによって、その後に続いて凹凸をもつ身体の範囲上に転写することが容易になる。ローラは大きい範囲に対して特に有利であり、パッドはより小さい範囲に適している。
【００１６】
本発明を用いて、転写面がメイクアップを施される範囲の凹凸に簡単に適合し、身体の窪みまたは突出した範囲、特に目、唇、鼻、腋窩、または足の範囲であっても、良好な転写を得ることが可能になる。
【００１７】
プリンタは、インクジェットプリンタ、たとえば感熱もしくは圧電プリンタ、昇華プリンタ、またはレーザプリンタであってもよい。
【００１８】
優先的に、プリンタは少なくとも1つの化粧用インクカートリッジを備える。
【００１９】
プリンタは、いくつかのカートリッジを、特に異なる色のいくつかのカートリッジを備えてもよい。
【００２０】
「インク」という用語は、液体または粉末状インクを意味し、後者の場合はトナーとも呼ばれる。
【００２１】
着色インクが液体の場合、たとえば、25℃で、1mPa.s〜500mPa.s、好ましくは1mPa.s〜300mPa.sの粘度を有してもよい。
【００２２】
本発明のインクの粘度は、当業者には知られている任意の方法に従って、特に以下の従来の方法に従って測定されてもよい。200rpmで回転するスピンドルを備えたRheomat 180粘度計を25℃で使用して、当業者であれば、測定を行うことができるように、一般的知識に基づいて、スピンドルM1、M2、M3、およびM4から粘度を測定するスピンドルを選択することができる。
【００２３】
着色インクはエマルジョン状であってもよい。
【００２４】
一例では、プリンタは、電子写真術または磁気写真術により、少なくとも1つの化粧用トナーを使用して転写面上にパターンを有するインクの塗膜を形成することを可能にするとともに、人体のケラチン物質と接触することによって吸収または転写させるのに十分に自由な状態で転写面上に存在するトナーを送達するように配置された、レーザプリンタである。
【００２５】
「化粧用トナー」という用語は、レーザプリンタで使用されるような電子写真処理または磁気写真処理を介した画像の形成と適合性をもつ、粉末状の化粧用組成物を意味するものとして理解されるべきである。好ましくは、電子写真用途に適したトナーである。
【００２６】
トナーは、人体のケラチン物質への適用に適合性をもつという意味で化粧用である。メイクアップを施される表面に応じて、トナーの配合は異なってもよい。たとえば、毛髪または爪に適用する場合、たとえば唇への適用には使用されない可能性がある、特定の化合物を使用することもできる。
【００２７】
インクが化粧用トナーの形態である場合、このトナーは、着色剤の他に、電荷を制御する化合物、特定の追加の充填剤、潤滑剤、ワックス、および/または結合剤を含んでもよい。
【００２８】
好ましくは、トナーの粒子は1〜16μmの平均径を有する。トナーは、たとえば、粒径1〜10μmの顔料から成る。
【００２９】
転写面は、たとえば、少なくとも1つの円筒状または球状部分を画定する。
【００３０】
プリンタは、有利には、以下に「ローラ駆動手段」と呼ばれる、ローラおよび/またはパッド支持体を回転させるための手段を備えてもよい。
【００３１】
ローラ駆動手段は、ローラの回転を印刷ノズルの掃引と同期させるように構成された歯車を備えてもよい。
【００３２】
プリンタは、ローラ駆動手段がローラ、またはパッドホルダがもつパッド(1つ以上)を回転させるときの摩擦を回避する脚体、特に調節可能な脚体を備えてもよい。
【００３３】
プリンタは、少なくとも印刷時に、ローラ、または少なくとも1つのパッドをもつパッドホルダを収容する、レセプタクルを備えてもよい。
【００３４】
レセプタクルによって、ローラまたはパッドホルダを除去可能に収容することが可能になってもよい。
【００３５】
レセプタクルは、ローラまたはパッドホルダを案内することによってそれらを挿入し除去するための、少なくとも1つのランナーを備えてもよい。ランナーを用いて、ローラまたはパッドホルダがランナーに挿入されると、転写面が印刷ノズルに近付く。ノズルと転写面との間の距離は、たとえば、0.1mm〜5mm、好ましくは0.1mm〜2mmである。
【００３６】
プリンタは、ローラまたはパッドホルダを備えてもよく、それらはたとえば、特に転写面の清掃を容易にし、パッドホルダまたはローラの使用を利用可能な範囲から選択することを可能にするため、除去可能であってもよい。
【００３７】
1つの変形例では、プリンタは、転写面にアクセスするための窓を備え、基材がプリンタ内に存在している状態でインクの転写が可能である。
【００３８】
印刷幅は、たとえば、0.2〜40cm、好ましくは5〜200mm、特に10〜120mm、より良好には10〜80mm、またはさらには10〜60mmである。
【００３９】
ローラおよびパッドホルダ
別の態様によれば、本発明は、本発明によるプリンタで使用されるように意図されたローラに関し、ローラは、特にケラチン物質との接触によって転写されるインクを、特に化粧用インクを受け入れるように意図された、転写面を画定する変形可能な基材をもち、転写面はローラの外表面を少なくとも部分的に形成する。
【００４０】
基材は、当業者には知られている任意の適切な手段によって、特に摩擦または結合によって、ローラに締結されてもよい。
【００４１】
1つの変形例では、ローラは、基材を締結するための手段、特に少なくとも1つの締結クリップまたは顎部を備える。
【００４２】
ローラはまた、除去可能な基材ホルダを備えてもよい。
【００４３】
基材は、たとえばローラ上に成型された、ローラの凹凸を包含してもよい。1つの変形例では、特に印刷時に、基材とローラとの間に空間がある。転写の間、基材はローラに対してめっきされ、転写面は、メイクアップを施される範囲の凹凸と一致するように変形される。
【００４４】
転写面は好ましくはドーム状である。
【００４５】
ローラは直円柱の形態を有してもよい。1つの変形例では、ローラは、たとえば砂時計の形態の、不規則な円筒の形態を有する。
【００４６】
1つの変形例では、ローラは「あらかじめ成型され」、すなわち、メイクアップを施される範囲の全体形状に対応する平坦でない初期形態、たとえば唇、眼窩、または前腕のネガ型を有する。
【００４７】
特に基材の転写面とは反対側の面とインプリントとの間を延在する、基材とローラとの間の空間は、少なくとも印刷時、流体、たとえば圧縮空気もしくは非圧縮空気、または液体で充填されてもよい。
【００４８】
流体は、たとえば、インプリントと基材との間の空間に注入されて、印刷中の過剰圧力を作り出す。流体は、基板をローラ上にめっきする転写の前に吸い上げられる。
【００４９】
方法はまた、転写面がもつ少なくとも1つのインクによって形成されるパターンを仕上げるステップを含んでもよい。このパターン仕上げステップは、たとえば、指または専用ツールを用いて行われてもよい。たとえば、特定の範囲に圧力が加えられるか、または特定の範囲が加熱される。
【００５０】
このステップは、後述するような幾何学的修正システムを使用して行われてもよい。
【００５１】
インクがケラチン物質上に転写されると、転写面は前記物質の範囲から取り除かれ、次に基材が好ましくはローラから除去される。
【００５２】
本発明によるローラは、保持システム、特に印刷時にプリンタ内に除去可能に収容されるハンドルを備えてもよい。保持システムは、したがって、少なくとも印刷のための位置決めの間、また好ましい変形例では転写の間も、ローラを保持するのに役立つ。
【００５３】
ハンドルは、たとえば、ローラの2つの端部において組み立てられるように構成された2つの対称的な顎部を備える。
【００５４】
ハンドルは、ローラの回転を割送りおよび/または阻害するデバイスを備えてもよい。
【００５５】
好ましくは、保持システムは除去可能である。保持システムは、特に、複数のローラとともに使用できるように配置される。
【００５６】
ローラは加熱されてもよい。
【００５７】
ローラは充填されてもよい。
【００５８】
1つの変形例では、ローラは中空であり、特に加熱素子を収容するように配置される。
【００５９】
さらに別の態様によれば、本発明の主題は、本発明によるプリンタとともに使用することが意図されたパッドホルダである。
【００６０】
パッドホルダは、特にケラチン物質と接触することが意図される、転写面を有する基材をもつ少なくとも1つのパッドをもつように配置される。
【００６１】
パッドホルダは単一のパッドをもっていてもよい。
【００６２】
パッドホルダは、いくつかのパッドを、特に2〜5個のパッドを、たとえば3個のパッドを同時に保持するように設計されてもよい。
【００６３】
パッドは、したがって、たとえば10°〜210°の角度によって画定される、円筒の部分に対応してもよい。円筒の部分は、特に、円筒の1/10〜4/5、特に円筒の1/5〜3/4であり、またはさらには、4分の1円筒または半円筒に相当してもよい。
【００６４】
1つの変形例では、パッドに締結された基材は、たとえば瞼への転写メイクアップを作成するため、あらかじめ成型される。
【００６５】
パッドホルダは、印刷時にプリンタ内にパッド(1つ以上)とともに除去可能に収容される、保持システムを備えてもよい。
【００６６】
パッドホルダを保持するシステムは、好ましくは除去可能である。上述の保持システムと同一であってもよい。特に、好みにかかわらず、本発明によるローラとともに、またはパッドホルダとともに使用されてもよい。
【００６７】
1つの例示の実施形態では、基材は、転写することが意図されるのと同じインクで、または異なるインクで印刷された印を備える。印は、たとえば、着色インクでメイクアップを施すことが意図されるケラチン物質の性質を示すか、または縮尺通りに、拡大して、縮小して、もしくは「裏側を上に」して基材上に堆積されたパターンを別の形で「表側を上に」して示す。
【００６８】
方法はまた、幾何学的修正システムによるパターンの修正を含んでもよい。表面が変形可能である限りにおいて、ケラチン物質上への転写の間、パターンは幾何学的に変形される(たとえば、二次元のうち1つの次元での延長)。結果として、パターンは、適用後のパターンが所望の縮尺であるように、幾何学的変形(本例では、変形可能な次元(1つ以上)による縮小)を有して印刷される。普遍的または特異的どちらかの幾何学的規則が、処理されるケラチン物質の範囲上に転写後のパターンが所望の形態を有するようにして、転写面に印刷されるパターンに適用されてもよい。そのような修正システムは、あらかじめ成型されたローラの場合に特に有利である。この場合、特に、処理される範囲および/または所望のパターンに適合された特異的な幾何学的規則が利用される。
【００６９】
アセンブリ
別の態様によれば、本発明の主題は、本発明によるいくつかのローラを備えるアセンブリであり、ローラは、基材の厚さによって異なり、基材がローラ上の適所にあるときに測定して、基材を含めて特に0.5〜20cm、またはさらには1〜10cmである、同じ直径を有する。
【００７０】
別の態様によれば、本発明は、同じ包装内に、上記に定義したような複数のローラおよび/またはパッドを備える、化粧用アセンブリに関する。
【００７１】
アセンブリは、パッドホルダおよび/または少なくとも1つのパッドを備えてもよい。
【００７２】
アセンブリのローラおよび/またはパッドは、それらの転写面上に堆積される着色インクを備えてもよく、または備えていなくてもよい。
【００７３】
ローラまたはパッドは、基材とは、特にケラチン物質と係合することが意図される転写面とは、形態および/または組成によって異なってもよい。
【００７４】
ローラまたはパッドは、それらがもつ着色インクの化学的性質、および/またはそれらによって形成されるパターンによって異なってもよい。
【００７５】
アセンブリは少なくとも1つのインクカートリッジを備えてもよい。
【００７６】
アセンブリはまた、本発明によるプリンタを備えてもよい。
【００７７】
別の態様によれば、本発明の主題は、化粧用インクまたはトナーを収容したケースを備え、ケースが、上述したような本発明によるプリンタの内部に受け入れられるように設計されたことを特徴とする、化粧用インクのカートリッジである。
【００７８】
印刷
さらに別の態様によれば、本発明は、人体のケラチン物質との接触によってインクを転写することが意図される平坦でない転写面上に、上述したような本発明による少なくとも1つのプリンタを使用して、化粧用インクの塗膜を印刷することから成るステップを含む、人体のケラチン物質にメイクアップを施す転写デバイスを製造する方法に関する。
【００７９】
1つの例示の実施形態では、着色インクは所定のパターンで印刷される。
【００８０】
方法は、ユーザによってパターンを選択および/または作成し、印刷を行うプリンタに接続された機械を用いて、このパターンに関する情報を送信するステップを含んでもよい。
【００８１】
機械は、コンピュータ、「スマートフォン」としても知られる高機能携帯電話、またはタブレット型コンピュータであってもよい。機械は、物理的に、および/またはデータ交換ネットワークを用いて、前記プリンタに接続されてもよい。
【００８２】
着色インクは、転写面がもっているとき、またケラチン物質への適用前は、液状または粉末状であってもよい。
【００８３】
特定の好ましい方式では、インクは、媒介する流体化合物、特に液体を添加することなく、ケラチン物質上に転写することができる。言い換えれば、着色インクは、メイクアップを施すことが意図される範囲を前記着色インクと単純に接触させることによって、ケラチン物質上に移ってもよく、ステッカーの転写の場合のように、インクの転写を改善することが意図される、媒介する液体を適用する必要はない。
【００８４】
印刷によって得られる着色インクは、中間調画像、たとえば単色もしくは多色画像を形成するように、点および/またはラスタ線の形態で堆積されてもよい。
【００８５】
転写面上に印刷された着色インクによって形成されるパターンは、任意のタイプのものであってもよい。
【００８６】
このパターンは、皮膚の凹凸および/または色の異質性の見た目、たとえばそばかすもしくはほくろを再現してもよい。
【００８７】
印刷はまた、幾何学的修正規則に従ってもよい。転写面が変形可能である限りにおいて、適用の間、パターンは幾何学的に変形されてもよい(たとえば、二次元のうち1つの次元での延長)。結果として、パターンは、適用後のパターンが所望の縮尺であるように、幾何学的変形(本例では、変形可能な寸法による縮小)を有して印刷される。普遍的または特異的どちらかの幾何学的規則が、処理されるケラチン物質の範囲上に転写後のパターンが所望の形態を有するようにして、転写面に印刷されるパターンに適用されてもよい。そのような修正規則の使用は、特に、以下で示されるようにインプリントの形態を包含するために、凹凸をもつ転写面を有する基材の場合に特に有利である。特に、処理される範囲および/または所望のパターンに適合された、特定の幾何学的規則が利用されてもよい。
【００８８】
転写面がもっている着色インクによって形成されるパターンは、可視領域(400nm〜800nm)の白色光の下で観察したときに色付きであってもよい。1つの変形例として、たとえば着色インクが光互変性または蛍光性の染料を含有するとき、パターンは、可視領域の白色光の下では無色であるが、UV(365nm〜400nm)への暴露などの化学および/またはエネルギー刺激を与えると、色付きに見えてもよい。
【００８９】
印刷は、いくつかの異なるインク、特に異なる色のインクを使用してもよい。
【００９０】
印刷は、少なくとも3つ、特に少なくとも4つ、5つ、6つ、7つ、8つ、9つ、10、11、または12の異なる色の着色インクを使用してもよい。
【００９１】
印刷は、原色を生成する着色インクのみを使用してもよい。1つの変形例として、印刷は、原色を生成するインクと、原色以外を生成する少なくとも1つの着色インクの両方を使用してもよい。
【００９２】
着色インクの印刷は、三色または四色印刷であってもよい。
【００９３】
印刷によって得られるパターンは、異なる色のいくつかの範囲を備えてもよい。1つの変形例として、印刷によって得られるパターンはフラットティント(flat tint)である。
【００９４】
着色インクは、いくつかの印刷パスにおいて堆積されてもよい。言い換えれば、着色インクの第1の画分が最初に転写面上に印刷され、次に着色インクの第2の画分が、第1の画分の全体または一部の上に印刷されてもよい。
【００９５】
基材
基材は優先的に非吸収性である。基材は、有利には、少なくとも化粧用インクを受け入れることが意図される転写面上では、非多孔質である。
【００９６】
基材は、変形可能な材料、特に熱可塑性および/またはエラストマー材料を含むか、あるいはそれから成る。
【００９７】
好ましくは、基材は弾性的に変形可能である。基材は単層または多層であってもよい。
【００９８】
基材は、有利には圧縮可能である。特に圧縮性を増加させるため、基材は、特にそのコアに、1つ以上の多孔質層を備えてもよい。基材は、胞(alveola)または微小球を組み込んだ材料を含んでもよい。
【００９９】
好ましくは、インクをケラチン物質上に転写する間、転写面とは反対側の面に単に圧力をかけることによって基材が簡単に変形可能であり、それによってケラチン物質との接触を改善するようにして、基材が準備される。
【０１００】
転写面は、アプリケータローラの外表面、アプリケータパッドの表面、シート状の要素、パッチ、多孔質発泡体の表面、特にスポンジまたはワイプの全体または一部によって画定されてもよい。
【０１０１】
転写面はエラストマーの混合物によって画定されてもよい。
【０１０２】
転写面は、たとえば、以下の非限定的なリストから選択された、少なくとも1つのエラストマーによって画定される。共重合化ブタジエンスチレン、ブタジエンニトリル、イソブチレンイソプレン、共重合化クロロエチレンポリスルフィド、ポリスルフィド、EPDM(エチレンプロピレンジエンモノマー)、またはポリエチレンプロピレンジアミン、もしくはポリウレタン。
【０１０３】
基材は、たとえば、エラストマー、特にシリコーンエラストマー、たとえばVMQまたはMQ、FVMQ、PVMQ(R.B.Simpsonによる出版物、2002年、Rubber Basics、96ページ、ISBN 1-85957-307-Xに記載)を含む。使用されてもよいエラストマーの一例は、ポリテック社(Polytek)によってPatsil(登録商標) GEL 10の名前で販売されているものである。
【０１０４】
転写面を画定する材料は、少なくとも1つの追加の充填剤、可塑剤(たとえば、グリコールエーテル、フタレート、もしくはシリコーン油)、着色剤(顔料もしくは染料)、耐光性を増加させる保護剤(UV遮断剤)、加硫剤および/または加硫促進剤(硫黄、酸化亜鉛)を含んでもよい。
【０１０５】
転写面を画定する材料中に存在する追加の化合物(1つ以上)は、特に、インク中に存在する、または基材を清掃するのに使用される、油および溶媒に対する抵抗を改善するのに役立ってもよい。
【０１０６】
転写面は、基材の成型(特に架橋材料に関して)、機械加工、レーザ加工、焼結、サンダー仕上げ、カレンダー加工などによって、その最終形態にされてもよい。
【０１０７】
転写面は、好ましくは平滑であり、1mm以下、特に1〜100μmの粗さを有する。粗さは、先端が10mmの曲率半径を有し、特性化される材料に加えられる力が6mNである、粗さ計を使用して測定される。
【０１０８】
基材は、規格DIN 53 505、ISO/R868に従って測定して、1〜30ショアA、たとえば10ショアAに等しい硬さを有してもよい。
【０１０９】
基材の厚さは、メイクアップを施されるケラチン物質に適合されてもよい。
【０１１０】
基材の厚さは、転写面に垂直に測定した寸法に相当する。転写面上での位置に応じて、基材の厚さは一定であってもなくてもよい。
【０１１１】
たとえば、着色インクが頬および/または爪に適用されることが意図される場合、基材は、1mm〜3mm、またはさらには3mm超過の厚さを有してもよい。
【０１１２】
1つの例示の実施形態では、着色インクは、目の周りの範囲および/または唇に適用されることが意図され、基材は、3mm〜1cm、またはさらには1cm超過の厚さを有する。
【０１１３】
別の例示の実施形態では、着色インクは、鼻および/または耳の範囲に適用されることが意図され、基材は、1cm〜3cm、さらには3cm超過のより厚い厚さを有する。
【０１１４】
1つの変形例では、基材、および/または特にローラの形態の支持体は、ケラチン物質の凹凸への適用が容易になるように、「あらかじめ成型された」形態で、たとえば唇または眼窩のネガ型で作られる。
【０１１５】
基材は、既知の手法で、機械的性能の質を確保する枠と、転写面を画定し、転写性能の質を提供する働きをする、トップとしても知られるブランケット層とを備える、特に印刷セクタで使用されるような、プリンタのブランケットの形態であってもよい。
【０１１６】
1つの例示の実施形態では、基材は、着色されてもよく、またそれ自体を人体のケラチン物質上に転写することができるコーティングで、少なくとも部分的に覆われる。コーティングは、印刷するのが困難な色、たとえば白または黒、または肌色など、メイクアップを施される皮膚の肌の色合いに近い色で着色されてもよい。1つの変形例として、コーティング自体は着色されなくてもよい。
【０１１７】
コーティングは、油性物質などの転写を改善する補助剤、および/または残留性を改善する補助剤、および/または日焼け止めなどの皮膚を保護する補助剤を含んでもよい。
【０１１８】
このコーティングまたはこれらのコーティングはまた、着色インクで印刷した後の基材に適用されてもよい。
【０１１９】
1つの例示の実施形態では、基材は、少なくとも1つの半透明または透明の範囲を備える。
【０１２０】
半透明または透明の範囲によって、ユーザが基材を透視することが可能になり、したがって、着色インクを転写する前にメイクアップを施される表面をより簡単に可視化することが可能になる。したがって、半透明または透明の範囲が存在することは、有利には、正確なメイクアップの結果を生成するのを容易にすることに寄与する。
【０１２１】
半透明または透明の範囲を、着色インクの層と全体的または部分的に重ね合わせることができ、特にその層を上に重ねてもよい。
【０１２２】
着色インクの層は、その全体が半透明または透明の範囲上に重ね合わされてもよい。1つの変形例として、着色インクの層の一部のみが透明の範囲上に重ね合わされる。
【０１２３】
基材は、全体が透明または半透明の材料で作られてもよい。この場合、半透明または透明の範囲は基材の表面全体の上を延在する。
【０１２４】
別の態様によれば、本発明の主題は、ケラチン物質と接触することが意図され、化粧用インクを受け入れるように構成された、平坦でない転写面をもつ基材を備える、本発明によるメイクアップデバイスを使用して、人体のケラチン物質の範囲にメイクアップを施す方法である。
【０１２５】
方法は、次のステップを含んでもよい。
本発明による少なくとも1つのプリンタを使用して、化粧用インクの塗膜を転写面上に印刷するステップ
インクの塗膜を、メイクアップを施される範囲と接触させるステップ
【０１２６】
基材は、メイクアップを施される範囲上にインクの塗膜を転写する間、たとえば、転写面がローラの外表面によって画定されたとき、プリンタに締結されてもよい。ユーザは、プリンタの本体を把持手段として使用してもよい。
【０１２７】
本発明は、非限定的な実施例の以下の説明を読むことで、また添付図面を考察することで、より明白に理解されるであろう。
【図面の簡単な説明】
【０１２８】
【図１Ａ】本発明によるローラの一例を示す斜視図である。
【図１Ｂ】本発明によるローラの一例を示す立面図である。
【図１Ｃ】本発明によるローラの一例を示す立面図である。
【図２Ａ】図1A〜図1Cのローラ、および本発明によるプリンタを示す図である。
【図２Ｂ】図1A〜図1Cのローラ、および本発明によるプリンタを示す図である。
【図３】図1A〜図1Cのローラを使用する、本発明によるメイクアップ方法を示す図である。
【図４】本発明による化粧用アセンブリの例を示す図である。
【図５】本発明による化粧用アセンブリの例を示す図である。
【図６Ａ】基材を締結する前の本発明によるローラの他の例を示す立面図である。
【図６Ｂ】基材を締結する前の本発明によるローラの他の例を示す立面図である。
【図６Ｃ】基材を締結する前の本発明によるローラの他の例を示す立面図である。
【図７Ａ】本発明によるパッドホルダを示す立面図である。
【図７Ｂ】本発明によるパッドホルダを示す立面図である。
【図７Ｃ】本発明によるパッドホルダを示す立面図である。
【図７Ｄ】本発明によるパッドホルダを示す立面図である。
【図８】本発明によるローラの変形例を示す部分断面図である。
【図９】本発明によるメイクアップ方法の様々なステップを示すブロック図である。
【発明を実施するための形態】
【０１２９】
図1Aは、転写面3を画定する基材2を備える、本発明によるローラ200を示す。
【０１３０】
基材2は、可撓性、圧縮可能、および変形可能な材料で作られる。
【０１３１】
基材2は、図示される例では、中空ローラ200上にめっきされた、エラストマー性材料で作られた印刷用ブランケットから成り、単純な摩擦によってローラに締結される。
【０１３２】
転写面3は平滑であり、上述したような粗さ計を使用して測定して、50μm以下の粗さを有する。
【０１３３】
転写面3は、転写メイクアップの結果を生成するため、化粧用着色インク4の塗膜を受け入れるように意図される。
【０１３４】
着色インク4の塗膜を転写面3上に堆積させるため、図2Aおよび図2Bに示されるデジタルプリンタ500が利用され、それによって、再現すべき画像のピクセルに相当するインクドットを堆積させる。
【０１３５】
図1Bに示されるように、除去可能なハンドル80は、ローラ200と一体的に作られて、インクを転写する間ハンドリング部材として役に立ってもよい。
【０１３６】
ハンドリング部材80は除去可能であることが有利であり、したがって、基材2をより簡単にローラ200上にめっきすることができ、二度の使用の間に清掃できるように、図1Aに示されるように除去されてもよい。ハンドル80は、この例では、ローラ200の2つの端部に組み合わされるように意図された、機械加工によって作成されるPOMで作られた2つのプラスチックの顎部を備える。
【０１３７】
考慮中の例では、ハンドリング部材は、印刷の間使用されるプリンタ内でローラ200を保持するための手段250を構成する。
【０１３８】
1つの変形例として、保持システムは異なる。
【０１３９】
レセプタクルによって、特にハンドル80の形態の保持システム250に組み合わされた、ローラまたはパッドホルダを除去可能に収容することが可能になってもよい。
【０１４０】
レセプタクルは、ローラまたはパッドホルダを案内することによってそれらを挿入し除去するための、少なくとも1つのランナーを備えてもよい。ランナーを用いて、ローラまたはパッドホルダがランナーに挿入されると、転写面が印刷ノズルに近接するようになる。ノズルと転写面との間の距離は、たとえば、0.1mm〜5mm、特に0.1mm〜2mmである。
【０１４１】
印刷の間、ローラ200は、デバイス1の保持システム250をプリンタ500の第2の保持システム520と協働させて、たとえばアプリケータローラをプリンタ500上にクリック止めして締結できるようにすることによって、プリンタ500と組み合わされる。
【０１４２】
図2Aおよび図2Bでは、たとえば図示されるようなローラまたはパッドホルダを備える、本発明によるデバイスの統合を示すため、プリンタ500の外装が除去されている。
【０１４３】
プリンタ500は、少なくとも印刷時、ローラ200、または少なくとも1つのパッド300をもつパッドホルダ350を収容する、レセプタクル520を備える。
【０１４４】
図2Aは、ローラおよびパッドホルダがない状態のレセプタクル520を示し、図2Bは、図1A〜図1Cのローラ200と組み合わされたハンドル80を収容しているプリンタ500を示す。ローラは図面では見えていない。
【０１４５】
1つの変形例では、たとえば3つのパッドをもつパッドホルダが、ハンドル80と組み合わされている。
【０１４６】
レセプタクル520は、たとえば、ローラまたはパッドホルダと組み合わされたハンドル80を受け入れ案内し、したがって、それらをレセプタクル520に挿入し、またレセプタクル520から除去するのを容易にする、2つのランナー525を備える。このようにして、転写面3は印刷ノズルに接近して位置して、インク4の塗膜によって形成されるパターンの良好な精度が可能になる。ノズルと転写面との間の距離は、たとえば、0.5mm〜1.5mmである。
【０１４７】
プリンタ500はまた、印刷時に基材2を通過させ、ローラ200の回転を印刷ノズルの掃引と同期させるように構成された歯車を備える、ローラ駆動手段535を備える。
【０１４８】
ローラ駆動手段525は、たとえば、レセプタクル520の左側にあるフランジに少なくとも部分的に位置する。
【０１４９】
プリンタはまた、印刷の間、ローラの、またはパッドホルダがもち、回転で駆動されるパッド(1つ以上)の摩擦を防ぐ、4つの脚体530、たとえば調節可能な脚体を備える。
【０１５０】
図1Cは、プリンタ500から除去されており、転写面3が化粧用インク4の塗膜をもつ、デバイス1を示す。
【０１５１】
作成される画像を反転した形態で表すパターン40は、プリンタ500を使用して転写面3上に直接印刷される。
【０１５２】
インク4の塗膜は任意のタイプのパターンを形成してもよい。パターンはいくつかのインクから成ってもよい。
【０１５３】
基材2は、メイクアップの推奨される位置決めに関する情報を提供する、またはインク4でメイクアップを施すことが意図されるケラチン物質の性質に関する情報を提供するなどの、たとえば印刷によって形成される、印7をもっていてもよい。
【０１５４】
ローラ200はまた、たとえばローラの内部に位置する、図示されない加熱部材を備えてもよい。
【０１５５】
図3は、本発明によるメイクアップ方法の一例を概略的に示す。
【０１５６】
図1A〜図1Cのローラ200は、印刷が行われると、たとえばレセプタクル520から取り出される。
【０１５７】
転写メイクアップは、印刷の直後または30分以内に行われてもよいが、印刷後数日以内、またはさらには数か月以内に行われてもよい。
【０１５８】
ハンドル80を保持することによって、ユーザは、ローラ200をケラチン物質に近付けて、図示されるように、着色インク4の塗膜を、図示される例では前腕であるメイクアップを施される範囲Pに接触させる。
【０１５９】
範囲Pは好ましくは乾燥している。次に、ユーザは、メイクアップを施す範囲P上に着色インク4を転写する圧力を加えながら、転写面3を転がす。矢印fによって示されるように、圧力は、ローラ200を用いて、転写面3に対向する基材の面上に加えられる。
【０１６０】
ケラチン物質と接触している間、ローラ200は矢印tの方向で前進し、基材2は、転写されるパターンの見た目に影響しないように、好ましくは横に動かされない。
【０１６１】
ケラチン物質上に転写されるパターンは、基材2上に存在するときの(すなわち、メイクアップを施されるケラチン物質上にまだ転写されていないときの)、着色インク4の塗膜によってネガ型で形成されるパターン40のポジ型に相当し、開始画像を忠実に再現する。
【０１６２】
図示されない1つの変形例では、プリンタは十分に小型であり、ケラチン繊維に直接乗せるように操作し、ローラを除去することなく転写を行うのが簡単である。
【０１６３】
図4は、本発明による複数のローラ200およびパッドホルダ350を備える、本発明による化粧用アセンブリ30の実施形態の変形例を示す。第1のローラ200は、たとえば、上記に示したようにプリンタ上で保持するシステム250として役立ってもよい、ハンドル80と組み合わされる。
【０１６４】
化粧用アセンブリ30は、異なる厚さの基材2をもつように配置されたいくつかのローラ200を備える。アセンブリのすべてのローラ200は、基材がローラに締結された状態で測定して、同じ直径Dを有する。空の、すなわち基材を締結する前の、ローラ200の各直径dは基材の厚さeに相当し、それによってデバイスの転写面が直径Dの、特に直径60mmの円筒を画定する。
【０１６５】
図8に示されるように、厚さeおよび直径dは、ローラの長手方向軸線に沿って変動してもよい。
【０１６６】
各ローラ200は、着色インクを用いて印刷されることが意図された、転写面3を備えた基材2を備え、基材2は特にローラ上にめっきされる。
【０１６７】
保持システム
化粧用アセンブリ30はまた、ハンドル80に適合させることができるパッドホルダ350と、いくつかのパッド300と、切断され基材としてパッド上に結合されるエラストマーフィルムのストリップとを備える。
【０１６８】
デバイスは、インクの塗膜を何ら備えておらず、化粧用アセンブリ10は、たとえば、同じ包装内に、転写面3上に堆積させることが意図された、1つ以上の化粧用着色インクを含むプリンタカートリッジ21を備える。図示されない1つの変形例では、アセンブリは、たとえば異なるインクを収容した、いくつかのカートリッジを備える。
【０１６９】
この化粧用アセンブリは、カートリッジを使用することが意図されるプリンタとともに、適宜ユーザに提供されてもよい。
【０１７０】
図5に示される別の例では、各ローラ200または各パッド300は、その転写面3上に、所望のパターンに対して反転されたパターン40を形成する着色インク4の塗膜を備える。そのため、包装は、好ましくは、インクが乾燥するのを防ぐように漏れ防止性である。包装は、早すぎる転写のリスクを低減するように、インクが転写面以外の表面と接触するのを回避するための手段を備えて作られてもよい。たとえば、包装は、インクで覆われた転写面からある距離を壁が延在する、熱成形されたシェルを備える。
【０１７１】
次に、本発明によるメイクアップ方法の一例について、図9を参照して記載する。
【０１７２】
方法は、転写されるパターンの印刷を含み、また、パターンを選択するステップ100〜103を含んでもよい。
【０１７３】
第1のステップ100で、たとえば機械のスクリーン上に表示することによって、様々なパターンがユーザに提示される。
【０１７４】
提示されるパターンの範囲は、いくつかの異なる転写デバイスを要するメイクアップのいくつかの範囲に相当してもよい。
【０１７５】
ユーザがパターンを選択するステップ101は、印刷されることが意図されるパターンを選択するために、タッチスクリーンを押すなどの動作を含んでもよい。
【０１７６】
機械はまた、メイクアップの結果のシミュレーションをユーザに提供してもよい。したがって、機械は、選択または生成されたパターンでメイクアップされたケラチン物質の見た目のシミュレーションを表示してもよい。これを行うため、機械は、メイクアップを施されるケラチン物質の少なくとも1つの画像を獲得してもよい。
【０１７７】
1つの変形例では、ユーザは、印刷したいパターンのコンピュータファイルを作成する。この場合、ユーザは、たとえば.jpg画像フォーマットのファイル内で、そのようなパターンを作成し、それを編集する、描画ソフトウェアを使用してもよい。
【０１７８】
パターンが選択または作成されると、ステップ102で、機械は、パターンを印刷するのに必要なデータをプリンタに送り、特に、使用されるデバイスを指定する。このデバイスは、ステップ111の間に、メイクアップを施される範囲および選択されたパターンに適した、たとえばローラ200またはパッド300の形態の、一連のデバイスから選択されてもよい。
【０１７９】
デバイス、たとえばローラ、またはパッドホルダに締結されたパッドは、次に、ステップ103で、保持システム250、たとえばハンドル80を用いて、プリンタに組み合わされる。
【０１８０】
機械は、印刷を行うプリンタに物理的に、および/またはネットワークを用いて接続されてもよい。
【０１８１】
データが受信され、デバイスがプリンタのレセプタクル520に入れられると、ステップ103で、反転されたパターンを有するインク4の塗膜が転写面3上に印刷される。図1Cは、本発明によるローラ200の転写面上にこのようにして印刷されたパターンを示す。
【０１８２】
プリンタドライバは、プリンタに装填された他のカートリッジの中から化粧用インクカートリッジを、および/または印刷される基材の性質を選択する、メニューを備えてもよい。1つの変形例として、プリンタは、装填されたカートリッジが化粧用インクであることを自動的に認識し、その結果として動作パラメータを調節する。したがって、カートリッジは、収容している着色インクの性質に関する情報、特にこのインクが化粧用の性質のものであるという情報をプリンタに提供する識別子を、たとえば電子チップを備えてもよい。
【０１８３】
1つの例示の実施形態では、プリンタは、組み立てられたデバイスが選択されたパターンに対応しない場合、および/または人体のケラチン物質、特に皮膚、爪、もしくは唇と接触して位置させることが意図されない組成物を含むカートリッジの存在が検出された場合に、印刷を禁止するように構成される。
【０１８４】
1つの変形例として、プリンタは、人体のケラチン物質、特に皮膚、爪、または唇と接触して位置させることが意図されない組成物を含むカートリッジの存在が検出された場合であっても、印刷を行ってもよく、この非化粧用インクのカートリッジは、場合によっては、転写面がもつ化粧用着色インク、および/またはメイクアップを施されるケラチン物質の性質に関する印7を、基材上に印刷するのに使用される。
【０１８５】
基材の印刷は、基材上に堆積されるインクの量を増加させるように、インクを同じ場所に連続して堆積させる、いくつかのパスにおいて行われてもよい。基材は、たとえば、プリンタ内で1〜20パスを実行してもよく、堆積される化粧用インクの乾燥物質の量は、たとえば、0.1mg/cm2〜10mg/cm2、さらに良好には0.2mg/cm2〜5mg/cm2である。
【０１８６】
パターンは、単色、またはさらに良好には多色であってもよい。この場合、印刷は、再現される色に応じて、微視的スケールで局所的に並列されるいくつかの化粧用インクを用いて、プリンタ内を推移するごとに行われてもよい。
【０１８７】
印刷解像度は16dpi〜2048dpiであってもよい。
【０１８８】
当業者には知られている方式で、プリンタは、基材にすでに堆積されているインクが、新しいインクの塗膜を印刷する前に十分に乾燥しているかを検出するように配置されてもよい。
【０１８９】
プリンタおよび/またはプリンタドライバは、すでに印刷されている基材上に新しい印刷を行う前に、所定の時間待機する必要があることを、ユーザに通知するようにされてもよい。プリンタおよび/またはドライバは、十分に乾燥させるのに十分な時間が経過していない場合、すでに印刷されている基材の印刷を自動的に一時停止してもよい。プリンタは、好ましくは、印刷されるインクの塗膜すべての印刷が済んでいない限り、印刷されている基材を送達しないように配置される。
【０１９０】
次に、デバイスは、任意に、インクをケラチン物質上に転写できるようにするために、プリンタから分離される。
【０１９１】
次に、ステップ130の間に、転写面3をケラチン物質Pと単純に接触させることによって、特に、デバイスが図3に示されるようなローラ200の形態の場合、デバイスをケラチン物質上で転がすことによって、または図5Dおよび図5Eに示されるような基材2で覆われたインプリント60の適用によって、転写が行われる。転写は、ステップ130の間、デバイスをケラチン物質に押し付けることによって容易になる。
【０１９２】
ステップ130は、転写面上のパターンを仕上げるステップ131に続いてもよい。転写面上に堆積されたパターンを仕上げるこのステップは、指および/または専用ツールを用いて行われてもよい。たとえば、圧力が特定の領域に加えられるか、または特定の領域が加熱される。
【０１９３】
ステップ130の後に、メイクアップの適用を仕上げるステップ132が続いてもよい。
【０１９４】
ステップ130はデバイスを加熱することを含んでもよい。
【０１９５】
図7Aは、基材2を締結する前の、本発明によるローラの変形例200を示す。ローラ200は、図1A〜図1Cのシステムのハンドルに類似したハンドル80に組み合わされてもよい。このハンドル80は、異なる厚さの基材および異なる締結モードに適合された、いくつかの異なるローラ200とともに使用されてもよい。
【０１９６】
図1A〜図1Cの例示の実施形態における基材は、摩擦によって支持体に締結されていたが、本発明によるローラは、基材2を締結するための手段25を備えてもよい。
【０１９７】
図9Aに示される締結手段25は、ローラの外表面上の溝21と、ローラ200の各端部に位置するカムによってその開放が駆動されるダブルクリップ22と、ダブルクリップを閉じた状態で保つための図示されないばねのシステムとを備える。
【０１９８】
図9Bに示される例では、基材をローラに締結するための手段25は、たとえばねじ止めによって、ローラのハウジング24内で締結されて、基材を適所で保持するように配置された締結顎部26を備える。
【０１９９】
ローラ200の空き直径(empty diameter)dは、基材2が適所に置かれると、転写面3がたとえば60mmである直径Dの円筒を形成するようにして、基材の厚さeに相当するように選択される。
【０２００】
図7A〜図7Dは、保持システム250と、特にハンドル80と組み合わされるように意図された、本発明によるパッドホルダ350、たとえば3つのパッドを同時に受け入れてもよいパッドホルダ350を示す。
【０２０１】
基材2は各パッド300の外表面に結合され、基材2は、たとえば、支持体に結合されたエラストマーフィルムから切り取られる。
【０２０２】
別の変形例では、本発明によるパッドホルダ350は、たとえば、2〜4つのパッド、またはさらには5つのパッドを受け入れてもよい。
【０２０３】
優先的に、パッドホルダ350およびパッド300は、パッドの転写面が、特に直径60mmの、円筒状のエンベロープ面に属するように構成される。
【０２０４】
図7Aでは、パッドホルダ350は1つのみのパッド300をもつ。図7Bは、パッドホルダ350から外れた同じパッド300を示す。パッド300は、それをパッドホルダ350のハウジング351内で締結するためのスリーブ85を備える。スリーブ85は、ハウジング351内での回転を防ぐ正方形の端片81で終わる。
【０２０５】
パッドは、たとえば10°〜210°の角度によって画定される、円筒の部分に相当し得る。円筒の部分は、特に、円筒の1/10〜4/5、特に円筒の1/5〜3/4であり、またはさらには、4分の1円筒もしくは半円筒に相当してもよい。したがって、図7Aおよび図7Bに示されるパッド300は、10°の角度αに対応する、その長軸に沿った楕円かつ円筒形態の転写面3を有する。
【０２０６】
図7Cは、転写面が4分の1円筒を画定する円筒の部分である、3つのパッド300を示す。
【０２０７】
図7Cのパッドは、その短軸に沿った楕円かつ円筒形態のものである。
【０２０８】
図7Dのデバイスの変形例は、球状形態の3つのパッドを備える。
【０２０９】
図示されない1つの変形例では、パッド300の外表面は平坦である。
【０２１０】
図示されない別の例では、パッドに締結される基材はあらかじめ成型される。
【０２１１】
ハンドル80は、図7Cに示されるように、ローラ200またはパッドホルダ350の回転を割送りおよび阻害するデバイス320を備えてもよい。
【０２１２】
実施例
実施例は、ローラを含む実施形態に対応する。
【０２１３】
下記の表に与えられている配合に対応する4つのインクを準備した。
【０２１４】
これらの組成物をCanonプリンタカートリッジに導入する。
【０２１５】
【表１】
2020157113.tif 000003
【０２１６】
Canon Pixma IP100プリンタを使用し、そのケースは除去した。その中に見出されるシート吸込みシステム(sheet entrainment system)を、歯車は残してローラ駆動手段と置き換えた。ローラ駆動手段は、プリンタの歯車に適合されるように構成される。それらによって、ローラの駆動、特に本発明によるローラまたはパッドホルダの駆動が可能になる。ハンドルと組み合わされたローラを挿入および除去するように、ランナーシステムをプリンタ本体に装填した。プリンタが機能するのを防止しないように、シートプレゼンスシステム(sheet presence system)を修正した。
【０２１７】
いくつかのローラを準備した。
【０２１８】
実施例1
この第1の変形例では、ローラは充填されており、直径60mmおよび長さ80mmの円筒状である。Delrin(登録商標)タイプ(デュポン製)の硬質プラスチックで作られ、Mouldlife社製のPlat-Silゲル10'シリコーンエラストマーで作られた、2mmに等しい厚さeのフィルムで覆われて、基材2を形成する。
【０２１９】
このローラは、背中など、比較的平坦な広い表面に特に適している。
【０２２０】
実施例2 (図6Cおよび図8)
この実施例では、ローラは充填されており、砂時計の形態である。中央の空き直径dは端部よりも20mm小さい。
【０２２１】
Mouldlife社製のPlat-Silゲル10'エラストマーシリコーンコーティングは、このローラの周りに成型され、それによってローラが60mmに等しい直径Dを有する円筒形状になる。
【０２２２】
基材の中央部は側部よりも柔らかく、それによってこのタイプのローラは、顎または腕などのドーム状の身体範囲に特に適するようになる。
【０２２３】
実施例3 (腕に対するメイクアップ塗布の転写向け)
アルギナート組成物(Esprit composite製の成型用アルギナート)が、長さ20cmおよび幅8cmにわたって腕に適用される。
【０２２４】
硬化して固体になった後、作成されたばかりのインプリントを巻いて2つの端部を合わせる。それによって砂時計形態の可撓性の物体が得られる。
【０２２５】
型がこの物体から二部分で作られる。
【０２２６】
型の二部分が開かれ、インプリントから作られた可撓性の物体がそこから除去される。
【０２２７】
次に、重合可能な樹脂組成物が、型に作られた穴を介して二部分に導入される。
【０２２８】
硬化後、鋳物が型から除去される。次に、円筒を形成するため、Mouldlife社製のPlat-Silゲル10'可撓性エラストマー組成物を適用することによって、上記例と同様の方法が行われる。
【０２２９】
このローラは、腕に印刷するのに特に適している。
【符号の説明】
【０２３０】
2  基材
3  転写面
4  インク
7  印
10  化粧用アセンブリ
21  プリンタカートリッジ、溝
22  ダブルクリップ
24  ハウジング
25  手段
26  締結顎部
30  化粧用アセンブリ
40  パターン
60  インプリント
80  ハンドル
81  端片
85  スリーブ
200  ローラ
250  保持システム
300  パッド
320  デバイス
350  パッドホルダ
351  ハウジング
500  デジタルプリンタ
520  第2の保持システム、レセプタクル
525  ランナー、ローラ駆動手段
530  脚体
P  範囲
【図１Ａ】
2020157113.tif 000004
【図１Ｂ】
2020157113.tif 000005
【図１Ｃ】
2020157113.tif 000006
【図２Ａ】
2020157113.tif 000007
【図２Ｂ】
2020157113.tif 000008
【図３】
2020157113.tif 000009
【図４】
2020157113.tif 000010
【図５】
2020157113.tif 000011
【図６Ａ】
2020157113.tif 000012
【図６Ｂ】
2020157113.tif 000013
【図６Ｃ】
2020157113.tif 000014
【図７Ａ】
2020157113.tif 000015
【図７Ｂ】
2020157113.tif 000016
【図７Ｃ】
2020157113.tif 000017
【図７Ｄ】
2020157113.tif 000018
【図８】
2020157113.tif 000019
【図９】
2020157113.tif 000020
【外国語明細書】
2020157113000001.pdf